(57)【特許請求の範囲】
【請求項１】
携帯用端末機において、
オーディオハードウェアを介して出力される少なくとも一つの音源データを含む最終オーディオ信号の音量を増加させるサウンドブースタと、
前記サウンドブースタによって音量増加されたオーディオデータを音信号で再生するスピーカと、
を含むことを特徴とする装置であって、
前記サウンドブースタは、前記最終オーディオ信号の低周波帯域の信号を除去して前記スピーカの振動を低減し、前記最終オーディオ信号の再生可能な可聴信号を増加させ、前記最終オーディオ信号の中高音を低音よりも相対的に大きくすることによって、前記最終オーディオ信号の明瞭度を強化し、
前記低周波帯域の信号は、前記スピーカを介して出力されない帯域の信号であることを特徴とする、装置。
【請求項２】
前記少なくとも一つの音源データを、一つのＰＣＭ音源データにミキシングするミキサを更に含むことを特徴とする請求項１に記載の装置。
【請求項３】
前記少なくとも一つの音源データのうち少なくとも一つの圧縮された音源データが存在する場合、前記少なくとも一つの圧縮された音源データに対して実時間に圧縮解除を行う圧縮管理機を更に含むことを特徴とする請求項１に記載の装置。
【請求項４】
前記サウンドブースタは、元々の大きさ対増加の割合が線形又は非線形になるように信号の大きさを増加させることを特徴とする請求項１に記載の装置。
【請求項５】
携帯用端末機のオーディオ出力方法において、
オーディオハードウェアを介して出力される少なくとも一つの音源データを含む最終オーディオ信号の音量を増加させる過程と、
音量増加されたオーディオデータをスピーカを介して音信号で再生する過程と、
を含む方法であって、
最終オーディオ信号の音量を増加させる過程は、前記最終オーディオ信号の低周波帯域の信号を除去して前記スピーカの振動を低減し、前記最終オーディオ信号の再生可能な可聴信号を増加させ、前記最終オーディオ信号の中高音を低音よりも相対的に大きくすることによって、前記最終オーディオ信号の明瞭度を強化する過程を含み、
前記低周波帯域の信号は、前記スピーカを介して出力されない帯域の信号であることを特徴とする方法。
【請求項６】
前記少なくとも一つの音源データを、一つのＰＣＭ音源データにミキシングする過程を更に含むことを特徴とする請求項５に記載の方法。
【請求項７】
前記少なくとも一つの音源データのうち少なくとも一つの圧縮された音源データが存在する場合、前記少なくとも一つの圧縮された音源データに対して実時間に圧縮解除を行う過程を更に含むことを特徴とする請求項５に記載の方法。
【請求項８】
最終オーディオ信号の音量を増加させる過程は、
元々の大きさ対増加の割合が線形又は非線形になるように信号の大きさを増加させることを特徴とする請求項５に記載の方法。
【発明の詳細な説明】
【技術分野】
【０００１】
本発明は、携帯用端末機に関するもので、特に携帯用端末機における音量を増加させるための装置及びその方法に関するものである。
【背景技術】
【０００２】
現代社会において、携帯用端末機はその便宜性と必要性のため普及率が急速に増加し、今や現代人の必需品となっている。従って、サービス提供者及び端末機製造者は、前記携帯用端末機の活用度を更に高めるために、多くの付加機能を提供している。
【０００３】
携帯用端末機はリングトーン（ｒｉｇｎｔｏｎｅ）、音楽再生など、音を利用した機能を具現するためにスピーカを具備する。携帯用端末機のスピーカは、使用者に快適な聞き心地を提供するために、一定の音量スペックを満足するように設計される。しかし、携帯性を向上させるために、携帯用端末機はより軽く、より小さく、よりスリムなデザインを志向する。
【先行技術文献】
【特許文献】
【０００４】
【特許文献１】韓国公開特許第１０−２００３−００５９５２４号公報
【発明の概要】
【発明が解決しようとする課題】
【０００５】
携帯用端末機のスリムなデザインのため、前記音量スペックを満足するために要求されるスピーカの設置空間が足りなくなる場合が生じ得る。スピーカの設置空間が足りない場合、小型のスピーカを設置するか、充分な共鳴空間が確保できなくなるため、要求される音量が提供できない。従って、スピーカの設置空間が足りない携帯用端末機が音量スペックを満足するように、代案が提示されるべきである。
【課題を解決するための手段】
【０００６】
従って、本発明の目的は、携帯用端末機の音量スペックを満足するための装置及びその方法を提供することにある。
本発明の他の目的は、携帯用端末機における音量を増加させるための装置及びその方法を提供することにある。
本発明の更に他の目的は、携帯用端末機において、音量スペックを満足しないスピーカが使用される場合、ソフトウェア的に音量を増加させるための装置及びその方法を提供することにある。
【０００７】
前記目的を達成するための本発明の第１見地によると、携帯用端末機装置は、オーディオハードウェアを介して出力される少なくとも一つの音源データを含む最終オーディオ信号の音量を増加させるサウンドブースタと、前記サウンドブースタによって音量増加されたオーディオデータを音信号で再生するスピーカと、を含むことを特徴とする。
【０００８】
前記目的を達成するための本発明の第２見地によると、携帯用端末機のオーディオ出力方法は、オーディオハードウェアを介して出力される少なくとも一つの音源データを含む最終オーディオ信号の音量を増加させる過程と、音量増加されたオーディオデータをスピーカを介して音信号で再生する過程と、を含むことを特徴とする。
【図面の簡単な説明】
【０００９】
【図１】本発明の実施の形態による携帯用端末機のブロック構成図を示す図である。
【図２】本発明の実施の形態による携帯用端末機のオーディオ出力手続きを示す図である。
【発明を実施するための形態】
【００１０】
以下、本発明は、携帯用端末機におけるスピーカの音量を増加させるための技術について説明する。以下の説明で、前記携帯用端末機は、セルラーフォン（Ｃｅｌｌｕａｒ  Ｐｈｏｎｅ）、パーソナル通信サービス方式（ＰＣＳ：Ｐｅｒｓｏｎａｌ  Ｃｏｍｍｕｎｉｃａｔｉｏｎ  Ｓｙｓｔｅｍ）、携帯情報端末（ＰＤＡ：Ｐｅｒｓｏｎａｌ    Ｄｉｇｉｔａｌ  Ａｓｓｉｓｔａｎｔ）、ＩＭＴ２０００（Ｉｎｔｅｒｎａｔｉｏｎａｌ  Ｍｏｂｉｌｅ  Ｔｅｌｅｃｏｍｍｕｎｉｃａｔｉｏｎ−２０００）端末機、ラップトップ（ｌａｐ−ｔｏｐ）コンピューター、ネットブック（ｎｅｔ−ｂｏｏｋ）などを含む意味で使用される。
【００１１】
図１は、本発明の実施の形態による携帯用端末機のブロック構成図を示す図である。前記図１は、説明上の便宜のため、オーディオ出力のための構成のみを示している。しかし、本発明による携帯用端末機は、前記図１に示したブロック以外に通信のための手段、使用者の入力を認知するための手段、画面を表示するための手段、データをセーブするための手段など、一般的な携帯用端末機に含まれる構成を更に含んでもよい。
【００１２】
前記図１に示したように、前記携帯用端末機は、音源発生モジュール１１０と、音源処理部１２０と、ドライバ１３０と、スピーカ１４０と、サウンドブースタ（ｓｏｕｎｄ  ｂｏｏｓｔｅｒ）１５０と、を含んで構成される。
【００１３】
前記音源発生モジュール１１０は、使用者アプリケーション（ａｐｐｌｉｃａｔｉｏｎ）を実施し、前記携帯用端末機にセーブされた音源のデータを出力する。例えば、前記音源発生モジュール１１０は、ＡＰＩ（Ａｐｐｌｉｃａｔｉｏｎ  Ｐｒｏｇｒａｍｍｉｎｇ  Ｉｎｔｅｒｆａｃｅ）に基づいて動作し、音源データを出力するウェーブフォームオーディオＡＰＩ（Ｗａｖｅｆｏｒｍ  Ａｕｄｉｏ  ＡＰＩ）及びハードウェアミキシング（ｈａｒｄｗａｒｅ  ｍｉｘｉｎｇ）を制御するミキサＡＰＩ（Ｍｉｘｅｒ  ＡＰＩ）を含んでもよい。前記音源発生モジュール１１０から出力される音源データは、ＰＣＭ（Ｐｕｌｓｅ  Ｃｏｄｅ  Ｍｏｄｕｌａｔｉｏｎ）オーディオデータであるか、又は、圧縮されたオーディオデータであってもよい。
【００１４】
前記音源処理部１２０は、前記スピーカ１４０を介して音源を再生するためのオーディオデータの処理を担当する。前記図１を参照すると、前記音源処理部１２０は、ウェーブマッパ（ｗａｖｅ  ｍａｐｐｅｒ）１２２と、圧縮管理機（ｃｏｍｐｒｅｓｓｉｏｎ  ｍａｎａｇｅｒ）１２４と、オーディオ装置管理機１２６と、ミキサ１２８と、を含む。
【００１５】
前記ウェーブマッパ１２２は、前記音源発生モジュール１１０から提供される圧縮されたオーディオデータを処理し、前記圧縮管理機１２４を制御する。前記圧縮管理機１２４は、オーディオコーデック（ＣＯＤＥＣ：ＣＯｄｉｎｇ−ＤＥＣｏｄｉｎｇ）を管理するブロックであり、圧縮されたオーディオデータのフォーマットを決定し、フォーマットに応じたコーデックを利用して実時間に圧縮を解除する。また、必要に応じて、前記圧縮管理機１２４はオーディオデータに対するフィルタリング、フォーマットの変換などを行う。
【００１６】
前記オーディオ装置管理機１２６は、前記スピーカ１４０のようなオーディオハードウェアを制御するための函数及びＰＣＭオーディオデータを前記ドライバ１３０に提供する。前記オーディオ装置管理機１２６によって提供される函数はハードウェア独立的なものであり、前記携帯用端末機の運営体制（ＯＳ：Ｏｐｅｒａｔｉｏｎ  Ｓｙｓｔｅｍ）に従属される。前記ミキサ１２８は、多数の音源に対するソフトウェアミキシング（ｓｏｆｔｗａｒｅ  ｍｉｘｉｎｇ）を行う。即ち、前記ミキサ１２８は、前記音源発生モジュール１１０から提供される多数のＰＣＭオーディオ信号、又は前記ウェーブマッパ１２２から提供される圧縮解除されたＰＣＭオーディオ信号を一つのＰＣＭオーディオ信号に結合する。
【００１７】
前記ドライバ１３０は、前記オーディオ装置管理機１２６から提供される函数をハードウェア従属的な命令信号に変換し、前記命令信号を前記スピーカ１４０に、前記ＰＣＭオーディオデータを前記サウンドブースタ１５０に提供する。前記スピーカ１４０は、音の出力のためのオーディオハードウェアであり、前記ドライバ１３０から提供される命令信号に応じて、前記サウンドブースタ１５０から提供されるＰＣＭオーディオ信号を音信号に再生する。
【００１８】
前記サウンドブースタ１５０は、前記ドライバ１３０から提供されるＰＣＭオーディオ信号、即ち、前記スピーカ１４０を介して出力される最終オーディオ信号の音量を増加させる。つまり、前記サウンドブースタ１５０は、前記スピーカ１４０を介して出力される全てのＰＣＭオーディオ信号の音量を増加させる。前記図１を参照すると、前記サウンドブースタ１５０は雑音除去機（ｒｏｄｕｎｄａｎｃｙ  ｃｕｔ  ｆｉｌｔｅｒ）１５２と、音量制御器（ｖｏｌｕｍｅ  ｃｏｎｔｒｏｌｌｅｒ）１５４と、明瞭度強化機（ｃｌａｒｉｔｙ  ｅｎｈａｎｃｅｒ）１５６と、を含む。
【００１９】
前記雑音除去機１５２は、前記最終オーディオ信号の低周波帯域、即ち、前記スピーカ１４０を介して出力されない帯域の信号を除去する。前記低周波帯域信号の除去によって、低音信号の再生による前記スピーカ１４０の振動が減少し、低音の相対的な減少により高音の音量が増加する。前記音量制御器１５４は、前記雑音除去機１５２から提供される最終オーディオ信号の音量を増加させる。即ち、前記音量制御器１５４は、前記最終オーディオ信号の大きさを増加させることで音量を増加させる。この際、前記音量制御器１５４は、元々の大きさ対増加の割合が線形又は非線形になるよう、信号の大きさを増加させる。前記明瞭度強化機１５６は、前記音量制御器１５４から提供される最終オーディオ信号の明瞭度を向上させる。前記明瞭度の向上により、使用者の聞き心地が向上され、中・高帯域の音の音量が相対的に増加する。
【００２０】
図２は、本発明の実施の形態による携帯用端末機のオーディオ出力手続きを示す図である。
前記図２を参照すると、前記携帯用端末機は、ステップ２０１でオーディオ出力要請が発生するのかを確認する。例えば、前記オーディオ出力要請は、使用者の音源データ再生命令、使用者のキー入力によるキートーン（ｋｅｙ  ｔｏｎｅ）出力、呼（ｃａｌｌ）受信によるリングトーン出力などによって発生する。
【００２１】
前記オーディオ出力要請が発生すると、前記携帯用端末機はステップ２０３に進行して前記オーディオ出力の音源をＰＣＭオーディオ信号に変換する。但し、前記オーディオ出力の音源がＰＣＭオーディオ信号の形態にセーブされていてもよく、この場合、前記ステップ２０３は省略される。従って、前記オーディオ出力の音源が圧縮されているか、又は、ＰＣＭオーディオ信号でなく異なる形でセーブされている場合、前記携帯用端末機は前記ステップ２０３を行う。この際、前記オーディオ出力の音源は多数であってもよく、この場合、前記携帯用端末機は一部音源に対してＰＣＭオーディオ信号への変換を行い、その他の音源に対してはＰＣＭオーディオ信号への変換を行わなくてもよい。
【００２２】
次に、前記携帯用端末機はステップ２０５に進行し、オーディオ出力の音源が多数であるのかを確認する。即ち、前記携帯用端末機は少なくとも二つ以上の音源に対する出力要請が発生したのかを確認する。例えば、前記携帯用端末機は音源データの再生の際、キートーンの出力要請が発生する場合であるのか、リングトーンの出力のうちキートーンの出力要請が発生する場合であるのかを確認する。
【００２３】
前記オーディオ出力の音源が多数であれば、前記携帯用端末機はステップ２０７に進行して多数の音源をミキシングする。即ち、前記携帯用端末機は多数のＰＣＭオーディオ信号又は圧縮解除されたＰＣＭオーディオ信号を一つのＰＣＭオーディオ信号に結合することで、最終オーディオ信号を生成する。
【００２４】
続いて、前記携帯用端末機はステップ２０９に進行し、前記最終オーディオ信号の低周波帯域、即ち、スピーカを介して出力されない帯域の信号を除去する。前記低周波帯域信号の除去によって、低音信号の再生による前記スピーカの振動が減少し、低音の相対的な減少により高音の音量が増加する。
【００２５】
前記低周波帯域の信号を除去した後、前記携帯用端末機はステップ２１１に進行して前記最終オーディオ信号の音量を増加させる。即ち、前記携帯用端末機は前記最終オーディオ信号の大きさを増加させることで音量を増加させる。この際、前記携帯用端末機は、元々の大きさ対増加の割り合いが線形又は非線形になるよう、信号の大きさを増加させる。  
【００２６】
前記音量を増加させた後、前記携帯用端末機はステップ２１３に進行して前記最終オーディオ信号の明瞭度を向上させる。前記明瞭度の向上によって使用者の聞き心地が向上し、中・高帯域の音の音量が相対的に増加する。
【００２７】
次に、前記携帯用端末機はステップ２１５に進行して、前記低周波帯域信号除去、前記音量増加、前記明瞭度強化を経たＰＣＭオーディオ信号を、スピーカを介して出力する。
携帯用端末機が音量スペックを満足するほど充分なスピーカの設置空間を具備できなくても、ソフトウェア的な音量増加機能を介して音量スペックを満足させることができる。
【符号の説明】
【００２８】
１１０  音源発生モジュール
１２０  音源処理部
１２２  ウェーブマッパ
１２４  圧縮管理機
１２６  オーディオ措置管理機
１２８  ミキサ
１３０  ドライバ
１４０  スピーカ
１５０  サウンドブースタ
１５２  雑音除去機
１５４  音量制御器
１５６  明瞭度強化機
【図１】
0005890093.tif 000002
【図２】
0005890093.tif 000003